(57)【要約】【課題】気密性、耐久性及び開閉操作性の向上が図れる開口部装置を提供する。【解決手段】上下枠２ａ，２ｂ及び左右の縦枠２ｃ，２ｄからなる枠２と、該枠２内に引違いに開閉可能に設けられた内外の障子３，４とを備え、前記下枠２ａの上面を略平坦面に形成し、内障子３の室外側下部と外障子４の室内側下部に垂下片１７，１８を設け、下枠２ｂの上面に各垂下片１７，１８を案内する案内溝２０，２１を形成し、各案内溝２０，２１に各垂下片１７，１８と対応する横気密材４２，４３を設け、障子閉鎖時の内障子３の召し合せ框６ｃ下方における室内側案内溝２０内と室内外両案内溝２０，２１間とに、室内側案内溝２０内を室外側と室内側とに仕切る止水ブロック６０と、内障子３の垂下片１７と外障子４の垂下片１８との間を塞ぐ風止部材７０とを設け、前記止水ブロック６０が内障子３の垂下片１７の下端面に弾性で接する第１気密片６４を有している。【選択図】          図９
2005016190.tif 000002
【特許請求の範囲】
【請求項１】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有していることを特徴とする開口部装置。
【請求項２】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有する気密片部と、該気密片部を取付ける本体部との２部材で構成されていることを特徴とする開口部装置。
【請求項３】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が内障子の召し合せ框の下部室外面に設けられた気密ピースの下面に弾性で接する第２気密片を有していることを特徴とする開口部装置。
【請求項４】
上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が前記内障子の垂下片の室外面に弾性で接する第３気密片を有していることを特徴とする開口部装置。
【発明の詳細な説明】
【０００１】
【発明の属する技術分野】
本発明は、開口部装置に係り、特に下枠の上面がバリアフリーの略平坦面に形成されていると共に召し合せ框下部の止水構造を改良した開口部装置に関する。
【０００２】
【従来の技術】
開口部装置としては、例えば特許文献１に記載されているように、建築物の屋外開口部に設けられる上下枠及び左右の縦枠からなる枠と、該枠内の前記下枠上に戸車を介して左右方向にスライド開閉可能に設けられた引違い障子とを備え、前記下枠の上面を略平坦面に形成し、内外の障子の室内側下部に垂下片を設け、前記下枠の上面に前記垂下片を案内する案内溝を設けたバリアフリー構造の下枠フラットサッシ（下枠上面に突出したレールが無いのでノンレールサッシともいう）が知られている。
【０００３】
【特許文献１】
特開２００２−１９４９６３号公報
【０００４】
【発明が解決しようとする課題】
しかしながら、前記サッシの場合、内障子の室内側下部に垂下片が設けられている構造上、下枠上面の内障子用戸車走行ラインを召し合せ部下部の気密ラインが横切る構造となるため、召し合せ部下部の気密構造（水密構造を含む）が複雑になる。特に、内障子の召し合せ框の下部には下枠のフラット面に弾性材を介して当接する召し合せ止水ブロックが設けられ、その弾性材が障子開閉時に常に下枠のフラット面と擦れているため、弾性材の磨耗による耐久性の低下や気密性（止水性を含む）の低下を招くだけでなく、障子の開閉が重くなり開閉操作性の低下を招き易い。
【０００５】
本発明は、前記事情を考慮してなされたもので、気密性、耐久性及び開閉操作性の向上が図れる開口部装置を提供することを目的とする。
【０００６】
【課題を解決するための手段】
本発明のうち、請求項１の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有していることを特徴とする。
【０００７】
請求項２の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有する気密片部と、該気密片部を取付ける本体部との２部材で構成されていることを特徴とする。
【０００８】
請求項３の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が内障子の召し合せ框の下部室外面に設けられた気密ピースの下面に弾性で接する第２気密片を有していることを特徴とする。
【０００９】
請求項４の発明は、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が前記内障子の垂下片の室外面に弾性で接する第３気密片を有していることを特徴とする。
【００１０】
【発明の実施の形態】
以下に、本発明の実施の形態を添付図面に基いて詳述する。図１は本発明の実施の形態の開口部装置を概略的に示す室内側正面図、図２は図１の横断面図、図３は図１の縦断面図、図４は下枠の平面図である。図５は下枠の拡大横断面図、図６は気密構造を説明するための概略的斜視図、図７は下枠上面に設けられた下枠立上り気密部を示す斜視図、図８は内障子の戸先部下部の気密構造を示す斜視図、図９は召内框下部の風止部材による気密構造を説明するための概略的斜視図、図１０は召内框下部の止水ブロックによる気密構造を説明するための概略的斜視図である。
【００１１】
これらの図において、１は開口部装置である下枠フラットサッシ（ノンレールサッシ）で、このサッシ１は、建築物の屋外開口部に取付けられる上下枠（上枠と下枠）２ａ，２ｂ及び左右の縦枠２ｃ，２ｄからなる枠２と、該枠２内に左右方向にスライド開閉可能に取付けられた障子（実施例では引違い障子）３，４とを備えている。枠２の室外側には図示しない網戸が左右方向にスライド開閉可能に取付けられている。上枠２ａ、下枠２ｂ及び左右の縦枠２ｃ，２ｄは、例えばアルミ押出形材からなっている。
【００１２】
前記内障子３は、例えばアルミ押出形材からなる上下框（上框と下框）６ａ，６ｂ及び左右の縦框（召し合せ框と戸先框）６ｃ，６ｄからなる框６内にガラスパネル７を装着してなる。前記外障子４は、例えばアルミ押出形材からなる上下框（上框と下框）８ａ，８ｂ及び左右の縦框（召し合せ框と戸先框）８ｃ，８ｄからなる框８内にガラスパネル９を装着してなる。図示例の障子３，４は中間横框を６ｅ，８ｅ有している。
【００１３】
下框６ｂ，８ｂには戸車１０，１１が取付けられ、この戸車１０，１１を介して障子３，４が下枠２ｂの上面１２にスライド開閉可能に支持されている。戸車１０，１１には障子３，４の高さ調整を行う図示しない建て付け調整機構が設けられている。前記下枠２ｂの上面１２は略平坦面に形成され、室外側に配置した排水用グレーチング１３やバルコニー等のデッキ部１４と、室内側の床部１５とが下枠２ｂの上面１２と略水平に形成され、バリアフリー構造になっている。グレーチング１３の下には排水溝１６が設けられている。下枠２ｂの上面１２の戸車１０，１１が走行する部分は戸車１０，１１を案内すべく若干凹面に形成されていても良い。
【００１４】
内障子（室内側に位置する障子）３の室外側下部にはその長手方向全長に亘って垂下片（第１垂下片）１７が設けられ、外障子（室外側に位置する障子）４の室内側下部にその長手方向全長に亘って垂下片（第２垂下片１８）が設けられている。前記垂下片１７，１８は戸車１０，１１の下端よりも下方に延出されている。前記下枠２ｂの上面１２には２つの前記垂下片１７，１８を案内する幅の狭い案内溝（第１案内溝と第２案内溝）２０，２１が下枠の長手方向全長に亘って設けられている。
【００１５】
また、下枠２ｂ内にはこれを上下に仕切る隔壁２５が設けられ、該隔壁２５の上部には各案内溝２０，２１と連通した幅の広い溝部（第１溝部と第２溝部）２６，２７が隔壁２５からの３つの立上り壁（第１立上り壁、第２立上り壁、第３立上り壁）２８，２９，３０によって形成されている。隔壁２５の上部には前記立上り壁２８，２９，３０によって第１溝部２６と第２溝部２７の他に室内側溝部３１と室外側溝部３２が形成されている。隔壁２５の下部は空間部３３とされ、該空間部３３は下枠２ｂの室外壁に設けた排水口３４を通して室外の排水溝１６と連通されている。前記下枠２ｂの隔壁２５及び中間カバー材３９には閉鎖状態の障子３，４よりも室外側空間と前記下枠２ｂの空間部３３とを連通する排水孔３５が設けられている。前記下枠２ｂの空間部３３は図示例の場合、中空部（ホロー部）からなっているが、これに限定されない。
【００１６】
前記少なくとも上部が開放された第１，第２溝部２６，２７の清掃性を向上させるために、図５にも示すように下枠２ｂの上面１２は横断面で見て３つのカバー材（室内側カバー材、中間カバー材、室外側カバー材）３７，３８，３９により脱着可能に構成されている。室内側カバー材３７は室内側溝部３１の上面を覆うように形成され、内障子３をスライド開閉可能に支持している。室内側カバー材３７の一側部は室内側溝部３１の底部に支持され、他側部は第１立上り壁２８に支持されている。この室内側カバー材３７の他側部に後述する第１横気密材４２の断面略Ｃ字状の取付溝４２ａが形成されている。室内側カバー材３７は取付具例えばネジ（ビス）４０で隔壁（下枠本体）２５に脱着可能に取付けられている。
【００１７】
中間カバー材３８は、第２立上り壁２９及び第３立上り壁３０を有し、第２立上り壁２９に後述する第２横気密材４３の断面略Ｃ字状の取付溝４３ａ取付溝が形成されている。室外側カバー材３９は室外側溝部３２の上面を覆うように形成され、外障子４をスライド開閉可能に支持している。室外側カバー材３９の一側部は室外側溝部３２の底部に支持され、他側部は第３立上り壁３０に支持されている。中間カバー材３８及び室外カバー材３９は一緒に、共通の取付具例えばネジ（ビス）４１により隔壁（下枠本体）２５に脱着可能に取付けられている。
【００１８】
障子３，４を取外すこと無く下枠２ｂを容易に掃除できるようにするために、図４に示すように内障子３側（内観右側）は室内側カバー材３７ａを固定とし、中間カバー材３８ａと室外側カバー材３９ａを脱着可能とし、外障子４側（内観左側）は中間カバー材３８ｂを固定とし、室内側カバー材３７ｂと室外側カバー材３９ｂを脱着可能としている。品質上重要な気密材が存在する部位（３７ａ，３８ｂ）を固定とし、気密性や耐久性が損なわれないようにしている。障子を左側（外障子側）に寄せた時に露出する右側の室外側カバー材３９ａ及びその下の中間カバー材３８ａが脱着可能に分割されており、障子を右側（内障子側）に寄せた時に露出する室内側カバー材３７ｂ及び室外側カバー材３９ｂが脱着可能に分割されている。
【００１９】
すなわち、室内側カバー材３７は内障子側室内側カバー材３７ａと外障子側室内側カバー材３７ｂに分割され、内障子側室内側カバー材３７ａが常時固定とされ、外障子側室内側カバー材３７ｂが脱着可能とされている。中間カバー材３８は内障子側中間カバー材３８ａと外障子側中間カバー材３８ｂに分割され、内障子側中間カバー材３８ａが脱着可能とされ、外障子側中間カバー材３８ｂが常時固定とされている。室外側カバー材３９は内障子側室外側カバー材３９ａ、外障子側室外側カバー材３９ｂ及びこれらの中間室外側カバー材３９ｃに分割され、中間室外側カバー材３９ｃが常時固定とされ、内障子側室外側カバー材３９ａ及び外障子側室外側カバー材３９ｂが脱着可能とされている。前記内障子側中間カバー材３８ａ、内障子側室外側カバー材３９ａ、外障子側室内側カバー材３７ｂ及び外障子側室外側カバー材は３９ｂ、一端をストッパー５３，５８や端部ピース５７に引っ掛け、他端をネジ４０，４１で止めることにより、ネジの本数の削減及び脱着作業の作業性の向上が図られている。
【００２０】
サッシ１の室内側と室外側を気密に遮断するために、また、下枠上面が平坦面であるがゆえに浸入しやすい雨水の浸入を防止するために、枠２と閉鎖時の障子３，４により両者の間に連続した気密ライン（止水ラインともいう）を如何に形成するかが重要となる。本実施例では、前記下枠２ｂにおける閉鎖状態の障子３，４の各垂下片１７，１８と案内溝２０，２１の室内側縁部との間に軟質樹脂製の横気密材（第１横気密材と第２横気密材）４２，４３が設けられている。前記横気密材４２，４３は各案内溝２０，２１の室内側縁部（気密材取付溝４２ａ，４３ａ）に取付けられ、各横気密材４２，４３に対して各垂下片１７，１８が室外側から接している。
【００２１】
垂下片１７，１８は各障子の下部に長手方向全長に設けられている。具体的には、各障子の縦框の下端部には、例えば内障子の場合、図８ないし図１６に示すような振れ止め部材４４，４５が取付けられ、振れ止め部材４４，４５には内障子の下框６ｂに設けられた垂下片１７と連続する垂下片部１７ａが形成されている。なお、図８の振れ止め部材４４は内障子３の戸先框６ｄの下端部に取付けられ、図１６の振れ止め部材４５は内障子３の召し合せ框（召内框）６ｃの下端部に取付けられている。
【００２２】
第１横気密材４２は固定側である内障子側室内側カバー材３７ａに取付けられており、第２横気密材４３は固定側である外障子側中間カバー材３８ｂに取付けられている。これにより、前記内障子側中間カバー材３８ａ、内障子側室外側カバー材３９ａ、外障子側室内側カバー材３７ｂや外障子側室外側カバー材３９ｂを取外しても、横気密材４２，４３が途中で切断されたり、縦気密材４６，４９との繋ぎ目が切れたりすることが無く、気密性及び耐久性の向上が図れる。
【００２３】
前記第１横気密材４２と第２横気密材４３のそれぞれの一端部は、閉鎖位置の障子３，４の召し合せ框６ｃ、８ｃの位置で切断されており、その切断箇所で第１横気密材と第２横気密材をつないで気密ラインを連続させるために、図４、図５、図９〜図１３に示すように障子閉鎖時の内障子の召し合せ框（召内框ともいう）下方における室内側案内溝２０内（具体的には第１案内溝２０を含む第１溝部２６、以下同様）と室内外両案内溝２０，２１間とに、室内側案内溝内を室外側と室内側とに仕切る例えば軟質樹脂製の止水ブロック６０と、内障子３の垂下片１７と外障子４の垂下片１８との間を塞ぐ例えば軟質樹脂製の風止部材７０とが設けられている。
【００２４】
止水ブロック６０は、第１溝部２６に嵌合される本体部６０ａを有し、この本体部６０ａの上部には前記第１気密材４２と連続して第１気密材４２と同様の作用をする上部気密部６０ｂが一体的に設けられている。この上部気密部６０ｂの正面部（室外面）が内障子３の垂下片１７（垂下片部１７ａを含む、以下同様。）の室内面に接して垂下片１７との間を封止するようになっている。封止性能を上げるために、上部気密部６０ｂの正面部には正面略田状に仕切られた複数の凹部６１が設けられている。前記上部気密部６０ｂの背面部を第１案内溝２０の室内側縁部に取付けるために、背面部には気密材取付溝４２ａに係合される横断面略Ｔ字状の係合部６２が形成されている。上部気密片部６０ｂの正面部一側には、召内框下部振れ止め部材４５の垂下片部１７ａの円滑な移動を保証するためにテーパー６３が設けられていることが好ましい。
【００２５】
前記止水ブロック６０は、内障子３の垂下片１７の下端面に弾性で接する複数枚（例えば４枚）のヒレ状の第１気密片６４を有している。これら第１気密片６４は第１案内溝２０の長手方向に直交するようにして上向きに上向きに突出（起立）して配置されると共に、第１案内溝２０の長手方向に適宜間隔で配置される。前記止水ブロック６０は、第１気密片６４の独立した動きを確保するために図１５にも示すように前記第１気密片６４を有する気密片部６５と、該気密片部６５を取付ける本体部６ａとの２部材で構成されている。本体部６０ａに対する気密片部６５の取付け（組立作業）を容易にするために、本体部６０ａには気密片部６５の下部に形成した係合部６６を一側方から係合させる係合溝６７が形成されていると共に、係合部６６の底面に突設した抜け止め用突起部６８が係合する係合孔６９が設けられている。抜け止め用突起部６８の端部には係合孔６９に係合し易く且つ抜け難いようにテーパー６８ａが設けられていることが好ましい。
【００２６】
第１気密片６４は図１０に示すように閉鎖時の内障子３の召し合せ框下部振れ止め部材４５の垂下片部１７ａが止水ブロック６０の本体部６０ａの上方に位置したときに弾性で湾曲しながら垂下片部１７ａの下端面に接し、止水ブロック６０の本体部６０ａと垂下片部１７ａの下端面との間を封止し、弾性で湾曲するように柔軟性を有していることにより摩擦抵抗及び磨耗を低減している。また、第１気密片６４が一側の上部気密部６０ｂから独立している（切り離されている）ことにより、偏った弾性変形を防止して、独立した弾性変形を確保することができ、気密性の向上が図れるようになっている。
【００２７】
一方、前記風止部材７０は、図５、図９〜図１４にも示すように中間カバー材３８の第２立上り壁２９上に取付けられている。立上り壁２９は排水孔３５の位置で切断されており、その切断された縦上り壁２９の端部に気密材取付溝４３ａを利用して取付けられている。風止部材７０は、第２気密材４３の端部と連続する本体部７０ａを有し、この本体部７０ａの裏面部に気密材取付溝４３ａに係合する横断面略Ｔ字状の係合部７１が形成されている。風止部材７０の本体部７０ａは、第２案内溝２１の室内側溝壁から第２立上り壁２９の上部までの所定高さ及び前記止水ブロック６０と略同じ長さを有している。この本体部７０ａの正面部（室外面）が外障子４の垂下片１８（振れ止め部材の垂下片部を含む、以下同様。）の室内面に接して垂下片１８との間を封止するようになっている。封止性能を上げるために、本体部７０ａの正面部には正面略田状に仕切られた複数の凹部７２が設けられている。
【００２８】
前記風止部材７０は、内障子３の召し合せ框６ｃの下部室外面に設けられた気密ピース８０の下面に弾性で接する複数枚例えば６枚のヒレ状の第２気密片７３を有している。これら第２気密片７３は第２立上り壁２９ないし本体部７０ａの長手方向に直交するようにして上向きに突出（起立）して配置されると共に、本体部７０ａの長手方向に適宜間隔で配置される。第２気密片７３は図９に示すように閉鎖時の内障子３の召し合せ框下部室外面の気密ピース８０が風止部材７０の上方に位置したときに弾性で湾曲しながら気密ピース８０の下端面に接し、内外障子３，４の召し合せ框下部垂下片部１７ａ（外障子側垂下片部は図示省略）間の隙間における風止部材７０の本体部７０ａと気密ピース８０の下端面との間を封止し、弾性で湾曲するように柔軟性を有していることにより摩擦抵抗及び磨耗を低減している。
【００２９】
前記気密ピース８０は、図１７に示すように形成された発泡樹脂（スポンジ）からなり、内障子３の召し合せ框６ｃの下部室外面に両面粘着テープ等で貼り付け固定されている。この気密ピース８０の室外面が障子閉鎖時の外障子４の召し合せ框（召外框）８ｃの室内面に接し、気密ピース８０が内障子３の召し合せ框６ｃの室外面に設けられた召し合せ気密材８５と接していることにより、前記止水ブロック６０及び風止部材７０と共に第１気密材４２と第２気密材４３による横気密ラインをつないでいると共に、この横気密ラインと召し合せ気密材８５による縦気密ラインをつないでいる。
【００３０】
また、前記風止部材７０は、障子閉鎖時に前記内障子３の垂下片１７（具体的には召内框下部振れ止め部材４５の垂下片部１７ａ）の室外面に弾性で接するヒレ状の第３気密片７４を有している。具体的には、封止部材７０の本体部７０ａにおける６枚の第２気密片７３のうちの端部側の２枚の第２気密片７３を有する部分が第２立上り壁２９の切断部よりも突出しており、その突出部分７５の室内面に２枚の第３気密片７４が前記２枚の各第２気密片７３とつながった状態で設けられている。第３気密片７４は閉鎖時の内障子３の召し合せ框下部振れ止め部材４５の垂下片部１７ａの室外面に弾性で接するように室内側に突出して設けられている。
【００３１】
この場合、第３気密片７４に柔軟性をもたせるべくその突出長さを長くするために、本体部７０ａの突出部分７５の室内面には凹部７６が形成されている。前記召内框下部振れ止め部材４５の垂下片部１７ａの室外面は図１８に示すように下框６ｂの垂下片１７の室外面よりも室外側若干例えば１〜２ｍｍ程度突出して形成されており、内障子３の閉鎖時には（ａ）に示すように第３気密片７４が垂下片部１７ａの室外面に弾性で湾曲した状態で接し、内障子３の開放時には（ｃ）に示すように第３気密片７４の先端部が下框６ｂの垂下片１の室外面から離れ、開閉操作時の抵抗にならないようになっている。
【００３２】
また、前記第３気密片７４は、その長さを長くしたことにより、（ｂ）に示すようにたとえ内障子３が風圧で室内側に移動したとしても第３気密片７４の先端部が振れ止め部材４５の垂下片部１７ａの室外面から離れることがなく、気密性の向上が図れている。前記止水ブロック６０における４枚の第１気密片６４のうちの端部側の１枚の第１気密片６４ａは、前記２枚の第３気密片７４間の凹部７６の底部に接するように室外側に延出されており、止水ブロック６０と風止部材７０との間に隙間が発生しないようにしている。
【００３３】
外障子側の第２横気密材４３と縦気密材４９とは略同じ垂直面上にあるため、第２横気密材４３の端部と縦気密材４９の下端部とが連結（接続）されている（すなわち、外障子側の横気密ラインと縦気密ラインとは連続している）のに対し、内障子側の第１横気密材４２と縦気密材４６とは異なる垂直面上にあるため、第１横気密材４２の端部と縦気密材４６の下端部とは室内外方向に離れている（すなわち、内障子側の横気密ラインと縦気密ラインとは連続していない）。そこで、内障子側の横気密ラインと縦気密ラインとを連続させるために、図４、図７ないし図８に示すように、前記下枠２ｂには内障子用の第１横気密材４２と縦気密材４６とを直接または間接的に連結する例えば軟質ゴム製の下枠立上り気密部４７が設けられると共に、前記内障子３の戸先部下部には閉鎖時に前記下枠立上り気密部４７に当接して下枠立上り気密部４７との間を封止する戸先部下部気密部６２が設けられている。
【００３４】
本実施例では、室内側から見て右側の縦枠２ｄのフィン５９の下部には縦枠下部気密部材４８が前記縦枠気密材４６と連続するように取付けられており、この縦枠下部気密部材４８を介して前記下枠立上り気密部４７が第１横気密材４２と縦気密材４６を間接的に連結している。前記縦枠下部気密部材４８は、主として、下枠２ｂと縦枠２ｄのフィン６０との繋ぎ目を封止する等のために設けられている。
【００３５】
前記下枠立上り気密部４７は、下枠２ｂの上面１２を形成するカバー材、すなわち内障子側室内側カバー材３７ａの端部に取付けられ、カバー材３７ａの端部上面より立上っている。この下枠立上り気密部４７の立上り部の内端面と前記戸先部下部気密部５４の外端面とが対向しており、内障子３を閉鎖した時に戸先部下部気密部５４の外端面が下枠立上り気密部４７の立上り部の内端面に当接して両者の間を封止するようになっている。
【００３６】
前記戸先部下部気密部５４は内障子３の戸先框６ｄの下部に取付けた振れ止め部材４４の下部に垂下部として設けられている。この戸先部下部気密部５４の少なくとも前記下枠立上り気密部４７と当接する部分はクッション材例えばスポンジからなり、戸先部下部気密部５４と下枠立上り気密部４７との間に若干のラップ代をとってあり、スポンジを潰して気密性を確保するようになっている。また、内障子３の戸先框下部には、戸先部下部気密部５４よりも戸先側において下方に突出した例えば軟質ゴム製等の水切り部５５が設けられていることが好ましい。
【００３７】
前記下枠立上り気密部４７の一端（室内側端面）は前記縦枠下部気密部材４８に常時接（密着）しており、下枠立上り気密部４７の他端（室外側端面）が閉鎖時の内障子３の戸先框下部振れ止め部材４４の室外側垂下片部１７ａの内側面に接（密着）することにより気密ラインとして繋がるようになっている。また、前記戸先部下部気密部５４は一端が前記垂下片部１７ａの内側面に接するようにして戸先框下面の幅方向（室内外方向）に略全長に設けられている。
【００３８】
このように室内外の気密性が確保されているため、冬期などには室内外の温度差が大きくなり、障子３，４の室内面に結露水が生じる場合があり、内障子３の室内面に生じた結露水は内障子３の室内側下部（下縁部）５０から下枠２ｂの上面１２に落下する。下枠２ｂの上面１２に落下した結露水が室内に流れ込むのを防止するために、換言すれば、室内外の気密性を保持しつつ前記結露水を室外に排水するために、前記下枠２ｂの上面１２には前記内障子３の室内側下部（下縁部）５０から落下する結露水を受ける深さの浅い水受溝５１が下枠２ｂの長手方向全長に亘って設けられ、該水受溝５１から室外に連通した前記下枠２ｂ内の空間部３３へ排水するための排水弁５２が設けられ、該排水弁５２を経由して結露水が室内側から室外へ排水されるようになっている。前記内障子３の室内側下部（垂下片ともいう）５０は、前記水受溝５１の真上にある。実施例では、前記水受溝５１の内障子用ストッパー５３で隠れた部分に排水孔（図示省略）が設けられ、水受溝５１の下方の室内側溝部３１の隔壁２５に排水弁５２が取付けられている。
【００３９】
以上の構成からなるサッシ１によれば、上下枠２ａ，２ｂ及び左右の縦枠２ｃ，２ｄからなる枠２と、該枠２内に引違いに開閉可能に設けられた内外の障子３，４とを備え、前記下枠２ａの上面を略平坦面に形成し、内障子３の室外側下部と外障子４の室内側下部に垂下片１７，１８を設け、下枠２ｂの上面に各垂下片１７，１８を案内する案内溝２０，２１を形成し、各案内溝２０，２１に各垂下片１７，１８と対応する横気密材４２，４３を設けてなるため、内障子の室外側下部に垂下片を設けた従来のサッシと異なり下枠上面１２における内障子３の戸車走行ラインと召し合せ部下部の気密ラインとを分離することができ、召し合せ部下部の気密、水密構造を簡素化することができる。特に、障子閉鎖時の内障子３の召し合せ框６ｃ下方における室内側案内溝２０内と室内外両案内溝２０，２１間とに、室内側案内溝２０内を室外側と室内側とに仕切る止水ブロック６０と、内障子３の垂下片１７と外障子４の垂下片１８との間を塞ぐ風止部材７０とを設け、前記止水ブロック６０が内障子３の垂下片１７の下端面に弾性で接するヒレ状の第１気密片６４を有しているため、召し合せ下部における気密性、耐久性及び開閉操作性の向上が図れる。
【００４０】
すなわち、前記止水ブロック６０に設けた第１気密片６４が弾性で湾曲するように柔軟性を有して内障子３の垂下片１７の下端面に接しているため、摩擦抵抗及び磨耗を低減することができ、第１気密片６４の耐久性の向上が図れると共に障子の開閉操作が楽になり、開閉操作性の向上が図れる。また、前記止水ブロック６０が内障子３の垂下片１７の下端面に弾性で接するヒレ状の第１気密片６４を有する気密片部６５と、該気密片部６５を取付ける本体部６０ａとの２部材で構成されているため、第１気密片６４の独立した弾性変形を確保することができ、第１気密片６４の偏った弾性変形による気密不良を防止することができ、気密性の更なる向上が図れる。
【００４１】
更に、前記風止部材７０が内障子３の召し合せ框６ｃの下部室外面に設けられた気密ピース８０の下面に弾性で接するヒレ状の第２気密片７３を有し、該第２気密片７３が弾性で湾曲するように柔軟性を有して気密ピース８０の下面に接しているため、摩擦抵抗及び磨耗を低減することができ、第２気密片７３の耐久性の向上が図れると共に障子の開閉操作が楽になり、開閉操作性の向上が図れる。前記風止部材７０が前記内障子３の垂下片１７の室外面に弾性で接するヒレ状の第３気密片７４を有し、該第３気密片７４が弾性で湾曲するように柔軟性を有して内障子３の垂下片１７の室外面に接しているため、摩擦抵抗及び磨耗を低減することができ、第３気密片７４の耐久性の向上が図れると共に障子の開閉操作が楽になり、開閉操作性の向上が図れる。
【００４２】
以上、本発明の実施の形態を図面により詳述してきたが、本発明は前記実施の形態に限定されるものではなく、本発明の要旨を逸脱しない範囲での種々の設計変更等が可能である。実施例では、カバー材の戸車走行面が戸車の形状に合せて凹面に形成されているが、凸面に形成されていても良い。
【００４３】
【発明の効果】
以上要するに本発明によれば、次のような効果を奏することができる。
【００４４】
（１）請求項１の発明によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有しているため、気密性、耐久性及び開閉操作性の向上が図れる。
【００４５】
（２）請求項２の発明によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有する気密片部と、該気密片部を取付ける本体部との２部材で構成されているため、気密性、耐久性及び開閉操作性の向上が図れる。
【００４６】
（３）請求項３の発明によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が内障子の召し合せ框の下部室外面に設けられた気密ピースの下面に弾性で接する第２気密片を有しているため、気密性、耐久性及び開閉操作性の向上が図れる。
【００４７】
（４）請求項４の発明によれば、上下枠及び左右の縦枠からなる枠と、該枠内に引違いに開閉可能に設けられた内外の障子とを備え、前記下枠の上面を略平坦面に形成し、内障子の室外側下部と外障子の室内側下部に垂下片を設け、下枠の上面に各垂下片を案内する案内溝を形成し、各案内溝に各垂下片と対応する横気密材を設け、障子閉鎖時の内障子の召し合せ框下方における室内側案内溝内と室内外両案内溝間とに、室内側案内溝内を室外側と室内側とに仕切る止水ブロックと、内障子の垂下片と外障子の垂下片との間を塞ぐ風止部材とを設け、前記止水ブロックが内障子の垂下片の下端面に弾性で接する第１気密片を有し、前記風止部材が前記内障子の垂下片の室外面に弾性で接する第３気密片を有しているため、気密性、耐久性及び開閉操作性の向上が図れる。
【図面の簡単な説明】
【図１】本発明の実施の形態の開口部装置を概略的に示す室内側正面図である。
【図２】図１の横断面図である。
【図３】図１の縦断面図である。
【図４】下枠の平面図である。
【図５】下枠の拡大横断面図である。
【図６】気密構造を説明するための概略的斜視図である。
【図７】下枠上面に設けられた下枠立上り気密部を示す斜視図である。
【図８】内障子の戸先部下部の気密構造を示す斜視図である。
【図９】召内框下部の風止部材による気密構造を説明するための概略的斜視図である。
【図１０】召内框下部の止水ブロックによる気密構造を説明するための概略的斜視図である。
【図１１】下枠上面における止水ブロック及び風止部材の取付構成を示す概略的平面図である。
【図１２】図１１の斜視図である。
【図１３】図１２を室外側から見た斜視図である。
【図１４】風止部材を示す図で、（ａ）は室内側から見た斜視図、（ｂ）は室外側から見た斜視図である。
【図１５】止水ブロックの組立て方法を説明する説明図である。
【図１６】召内框下部の触れ止め部材を示す斜視図である。
【図１７】召内框下部気密ピースを示す斜視図である。
【図１８】召内框と風止部材の関係を示す図で、（ａ）は閉時の平面図、（ｂ）は風圧作用時の平面図、（ｃ）は開時の平面図である。
【符号の説明】
１  サッシ（開口部装置）
２  枠
２ａ  上枠
２ｂ  下枠
２ｃ，２ｄ  縦枠
３  内障子
４  外障子
１２  下枠の上面
１７，１８  垂下片
２０，２１  案内溝
６０  止水ブロック
６４  第１気密片
７０  風止部材
７３  第２気密片
７４  第３気密片
８０  気密ピース
【図１】
2005016190.tif 000003
【図２】
2005016190.tif 000004
【図３】
2005016190.tif 000005
【図４】
2005016190.tif 000006
【図５】
2005016190.tif 000007
【図６】
2005016190.tif 000008
【図７】
2005016190.tif 000009
【図８】
2005016190.tif 000010
【図９】
2005016190.tif 000011
【図１０】
2005016190.tif 000012
【図１１】
2005016190.tif 000013
【図１２】
2005016190.tif 000014
【図１３】
2005016190.tif 000015
【図１４】
2005016190.tif 000016
【図１５】
2005016190.tif 000017
【図１６】
2005016190.tif 000018
【図１７】
2005016190.tif 000019
【図１８】
2005016190.tif 000020